【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
オープンマーケットワイヤレス通信デバイス上での、プロビジョニング情報のダイナミックな情報源決定の方法において、
オープンマーケットワイヤレス通信デバイス上で、ネットワークサービスを開始するための第１の入力を受け取ることと、
前記ネットワークサービスに対応するプロビジョニング情報が、前記ワイヤレス通信デバイスと通信するリムーバブルモジュール上に記憶されているかどうかを決定することと、
前記プロビジョニング情報が、前記リムーバブルモジュール上に記憶されていないと決定された場合に、前記ネットワークサービスに対応するプロビジョニング情報が、前記ワイヤレスデバイスの非リムーバブルデータ記憶装置上に記憶されているかどうかを決定することと、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を発生させることとを含み、
前記ユーザ通知は、前記ワイヤレス通信デバイス上で前記プロビジョニング情報を構成するための指示を含む方法。
【請求項２】
前記ユーザ通知を発生させることは、前記ワイヤレス通信デバイス上で、手動で入力されるプロビジョニング情報を取得するための指示を含むユーザ通知を発生させることをさらに含む請求項１記載の方法。
【請求項３】
前記ユーザ通知を発生させることは、前記ワイヤレス通信デバイス上で、手動で入力されるプロビジョニング情報を提供するインターネットベースのウェブページに対するアドレスを含むユーザ通知を発生させることをさらに含む請求項２記載の方法。
【請求項４】
前記ユーザ通知を発生させることは、前記ワイヤレス通信デバイスへの、前記プロビジョニング情報のワイヤレスネットワーク配信のための指示を含むユーザ通知を発生させることをさらに含む請求項２記載の方法。
【請求項５】
前記ユーザ通知中に含まれる指示に基づいて、前記プロビジョニング情報のワイヤレスネットワーク配信を開始するための第２の入力を受け取ることをさらに含む請求項４記載の方法。
【請求項６】
前記指示に基づいて、前記プロビジョニング情報を受信することと、
前記リムーバブルモジュールまたは前記非リムーバブルデータ記憶装置のうちの少なくとも１つに、前記プロビジョニング情報を記憶させることと、
前記ワイヤレス通信デバイス上で、前記ネットワークサービスを開始するための第２の入力を受け取ることと、
前記第２の入力に応答して、前記ワイヤレス通信デバイス上で前記ネットワークサービスを開始することとをさらに含む請求項１記載の方法。
【請求項７】
第２の入力を受け取ることは、
前記サービスに対応するプロビジョニング情報が前記リムーバブルモジュール上に記憶されているかどうかを決定するのに先立って、前記ネットワークサービスに対応するサービスプロビジョニングインジケータをチェックすることと、
前記サービスプロビジョニングインジケータが検出された場合に、前記非リムーバブルデータ記憶装置から前記プロビジョニング情報を取得することとをさらに含み、
前記サービスプロビジョニングインジケータは、前記プロビジョニング情報が前記非リムーバブルデータ記憶装置上に記憶されていることを示す請求項６記載の方法。
【請求項８】
前記ワイヤレス通信デバイス上で前記ネットワークサービスを開始することは、前記非リムーバブルデータ記憶装置から取得された前記プロビジョニング情報にしたがって、前記ワイヤレス通信デバイス上で前記ネットワークサービスを開始することをさらに含む請求項７記載の方法。
【請求項９】
前記ネットワークサービスに対応するプロビジョニング情報が、前記リムーバブルモジュール上に記憶されているかどうかを決定することは、前記リムーバブルモジュールがプロビジョニング情報の記憶をサポートするように構築されているかどうかを決定することをさらに含む請求項１記載の方法。
【請求項１０】
前記プロビジョニング情報が、前記リムーバブルモジュール上に記憶されていないと決定された場合に、前記決定することは、前記プロビジョニング情報が、前記リムーバブルモジュール上に記憶されていないと決定され、または、前記リムーバブルモジュールが前記プロビジョニング情報の記憶をサポートするように構築されていないと決定された場合に、前記ネットワークサービスに対応するプロビジョニング情報が前記ワイヤレス通信デバイスの非リムーバブルデータ記憶装置上に記憶されているかどうかを決定することをさらに含む請求項９記載の方法。
【請求項１１】
前記プロビジョニング情報が、前記リムーバブルモジュールおよび前記非リムーバブルデータ記憶装置上に記憶されていないと決定された場合に、前記発生させることは、前記プロビジョニング情報が前記リムーバブルモジュール上に記憶されていないと決定され、または、前記リムーバブルモジュールが前記プロビジョニング情報の記憶をサポートするように構築されていないと決定され、かつ、前記プロビジョニング情報が前記非リムーバブルデータ記憶装置上に記憶されていないと決定された場合に、前記ワイヤレス通信デバイス上での出力として、前記ユーザ通知を発生させることをさらに含む請求項１０記載の方法。
【請求項１２】
前記ネットワークサービスに対応するプロビジョニング情報が、前記リムーバブルモジュール上に記憶されているかどうかを決定することは、前記ワイヤレス通信デバイスが非レガシーワイヤレス通信デバイスである場合にのみ、前記ネットワークサービスに対応するプロビジョニング情報が、前記リムーバブルモジュール上に記憶されているかどうかを決定することをさらに含む請求項１記載の方法。
【請求項１３】
前記情報源決定のための方法は、前記オープンマーケットワイヤレスデバイス上で実現される複数の方法のうちの１つであり、前記オープンマーケットワイヤレスデバイスの事前の構成は、どの情報源決定方法が実現されるかを規定する請求項１記載の方法。
【請求項１４】
前記情報源決定のための方法は、前記オープンマーケットワイヤレスデバイス上で実現される複数の方法のうちの１つであり、前記オープンマーケットワイヤレスデバイス上で実施可能な各ネットワークサービスは、どの情報源決定方法が実現されるかを規定する請求項１記載の方法。
【請求項１５】
オープンマーケットワイヤレス通信デバイス上で、プロビジョニング情報の情報源の決定を提供するように構成されている少なくとも１つのプロセッサにおいて、
オープンマーケットワイヤレス通信デバイス上で、ネットワークサービスを開始するための第１の入力を受け取る第１のモジュールと、
前記ネットワークサービスに対応するプロビジョニング情報が、前記ワイヤレス通信デバイスと通信するリムーバブルモジュール上に記憶されているかどうかを決定し、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを決定する第２のモジュールと、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を発生させる第３のモジュールとを具備し、
前記ユーザ通知は、前記ワイヤレス通信デバイス上で前記プロビジョニング情報を構成するための指示を含む、少なくとも１つのプロセッサ。
【請求項１６】
コンピュータ読み取り可能記憶媒体において、
オープンマーケットワイヤレス通信デバイス上で、ネットワークサービスを開始するための第１の入力をコンピュータに受け取らせるための第１の組のコードと、
前記ネットワークサービスに対応するプロビジョニング情報が、前記ワイヤレス通信デバイスと通信するリムーバブルモジュール上に記憶されているかどうかを前記コンピュータに決定させ、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを前記コンピュータに決定させるための第２の組のコードと、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を前記コンピュータに発生させるための第３の組のコードとを含み、
前記ユーザ通知は、前記ワイヤレス通信デバイス上で前記プロビジョニング情報を構成するための指示を含むコンピュータ読み取り可能記憶媒体。
【請求項１７】
ワイヤレス通信デバイス上での、プロビジョニング情報の情報源決定のための装置において、
オープンマーケットワイヤレス通信デバイス上で、ネットワークサービスを開始するための第１の入力を受け取る手段と、
前記ネットワークサービスに対応するプロビジョニング情報が、前記ワイヤレス通信デバイスと通信するリムーバブルモジュール上に記憶されているかどうかを決定し、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを決定する手段と、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を発生させる手段とを具備し、
前記ユーザ通知は、前記ワイヤレス通信デバイス上で前記プロビジョニング情報を構成するための指示を含む装置。
【請求項１８】
オープンマーケットワイヤレス通信デバイスにおいて、
プロセッサと、前記プロセッサと通信する非リムーバブルメモリとを含んでいるコンピュータプラットフォームと、
前記プロセッサと通信し、データを記憶するように動作可能なリムーバブルモジュールと、
前記プロセッサにより実行可能であり、前記非リムーバブルデータ記憶装置中に記憶されている、１つ以上のネットワークサービスクライアントと、
前記プロセッサと通信し、前記オープンマーケットワイヤレス通信デバイス上で、前記ネットワークサービスクライアントのうちの１つを開始するための第１の入力を受け取るように動作可能な、第１のユーザインターフェースと、
前記データ記憶装置中に記憶され、前記プロセッサにより実行可能なプロビジョニング情報源決定論理と、
前記データ記憶装置中に記憶され、前記プロセッサにより実行可能なプロビジョニング指示通知発生器とを具備し、
前記論理は、第１の情報源ルールを実行するための前記第１の入力に応答し、前記第１の情報源ルールは、前記ネットワークサービスに対応するプロビジョニング情報が、前記リムーバブルモジュール上に記憶されているかどうかを決定し、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを決定するように動作可能であり、
前記発生器は、前記プロビジョニング情報が前記リムーバブルモジュールおよび前記データ記憶装置上に記憶されていないとの、前記第１の情報源ルールにしたがう前記論理の決定に応答して、前記ワイヤレス通信デバイス上での出力として、ユーザ通知を発生させるように動作可能であり、前記ユーザ通知は、前記ワイヤレス通信デバイス上で前記プロビジョニング情報を構成するための指示を含むオープンマーケットワイヤレス通信デバイス。
【請求項１９】
前記プロビジョニング指示通知発生器は、前記ワイヤレス通信デバイス上で、手動で入力されるプロビジョニング情報を取得するための指示を含む前記ユーザ通知を発生させるようにさらに動作可能である請求項１８記載のデバイス。
【請求項２０】
前記プロビジョニング指示通知発生器は、前記プロビジョニング情報を提供するインターネットベースのウェブページに対するアドレスを含む前記ユーザ通知を発生させるようにさらに動作可能である請求項１９記載のデバイス。
【請求項２１】
前記プロビジョニング指示通知発生器は、前記ワイヤレス通信デバイスへの、前記プロビジョニング情報のワイヤレスネットワーク配信のための指示を含む前記ユーザ通知を発生させるようにさらに動作可能である請求項１８記載のデバイス。
【請求項２２】
前記プロセッサと通信し、前記ユーザ通知中に含まれる前記指示に基づいて、前記プロビジョニング情報のワイヤレスネットワーク配信を開始するための第２の入力を受け取るように動作可能な、第２のユーザインターフェースをさらに具備する請求項２１記載のデバイス。
【請求項２３】
前記プロセッサと通信し、前記ユーザ通知中の指示に基づいて、前記プロビジョニング情報を前記非リムーバブルデータ記憶装置または前記リムーバブルモジュールのいずれかに手動で入力するための第２の入力を受け取るように動作可能な、第２のユーザインターフェースをさらに具備する請求項１８記載のデバイス。
【請求項２４】
前記プロビジョニング情報源決定論理は、前記サービスに対応するプロビジョニング情報が前記リムーバブルモジュール上に記憶されているかどうかを決定するのに先立って、前記ネットワークサービスに対応するサービスプロビジョニングインジケータをチェックし、前記サービスプロビジョニングインジケータが検出された場合に、前記非リムーバブルデータ記憶装置から前記プロビジョニング情報を取得するようにさらに動作可能であり、
前記サービスプロビジョニングインジケータは、前記プロビジョニング情報が前記非リムーバブルデータ記憶装置上に記憶されていることを示す請求項１８記載のデバイス。
【請求項２５】
前記プロビジョニング情報源決定論理は、前記リムーバブルモジュールがプロビジョニング情報の記憶をサポートするように構築されているかどうかを決定し、プロビジョニング情報が前記リムーバブルモジュール上に記憶されていないと決定され、または、前記リムーバブルモジュールが前記プロビジョニング情報の記憶をサポートするように構築されていないと決定された場合に、前記ネットワークサービスに対応するプロビジョニング情報が前記ワイヤレス通信デバイスの非リムーバブルデータ記憶装置上に記憶されているかどうかを決定するようにさらに動作可能である請求項１８記載のデバイス。
【請求項２６】
前記プロビジョニング指示通知発生器は、前記リムーバブルモジュールが前記プロビジョニング情報の記憶をサポートしていないか、あるいは、前記プロビジョニング情報が前記リムーバブルモジュールまたは前記データ記憶装置上に記憶されていないとの、前記論理の決定に応答して、前記ワイヤレス通信デバイス上での出力として、ユーザ通知を発生させるようにさらに動作可能である請求項２５記載のデバイス。
【請求項２７】
前記プロビジョニング情報源決定論理は、前記ワイヤレス通信デバイスが非レガシーワイヤレス通信デバイスである場合にのみ、前記ネットワークサービスに対応するプロビジョニング情報が、前記リムーバブルモジュール上に記憶されているかどうかを決定するようにさらに動作可能である請求項１８記載のデバイス。
【請求項２８】
前記プロビジョニング情報源決定論理は、第２の情報源ルールをさらに含み、前記第２の情報源ルールは、ネットワークサービスに対応するプロビジョニング情報が前記リムーバブルモジュール上に記憶されているかどうかを決定し、前記プロビジョニング情報が前記リムーバブルモジュール上に記憶されていない場合に、前記ネットワークサービスの開始を中止するように動作可能である請求項１８記載のデバイス。
【請求項２９】
前記プロビジョニング情報源決定論理は、第３の情報源ルールをさらに含み、前記第３の情報源ルールは、ネットワークサービスに対応するプロビジョニング情報が前記リムーバブルモジュール上に記憶されているかどうかを決定し、前記プロビジョニング情報が前記リムーバブルモジュール上に記憶されていない場合に、前記プロビジョニング情報が前記ワイヤレスデバイスのデータ記憶装置上に記憶されているかどうかを決定し、前記プロビジョニング情報が前記リムーバブルモジュールおよび前記データ記憶装置のいずれにも記憶されていないと決定された場合に、前記ネットワークサービスの開始を中止するように動作可能である請求項２８記載のデバイス。
【請求項３０】
前記プロビジョニング情報源決定論理は、前記オープンマーケットワイヤレスデバイスの事前の構成に基づいて、どの情報源ルールをネットワークサービスの開始の試みに適用するかを決定するようにさらに動作可能である請求項２９記載のデバイス。
【請求項３１】
前記プロビジョニング情報源決定論理は、前記対応するネットワークサービスクライアントの事前の構成に基づいて、どの情報源ルールをネットワークサービスの開始の試みに適用するかを決定するようにさらに動作可能である請求項２９記載のデバイス。
【手続補正２】
【補正対象書類名】明細書
【補正対象項目名】００２３
【補正方法】変更
【補正の内容】
【００２３】
同じ指定が同じ要素を表し、開示した観点を図示し、開示した観点を限定しないように提供される添付図面とともに、開示した観点を以下で記述する。
【図１】図１は、オープンマーケットワイヤレスデバイス上でプロビジョニング情報のための情報源を決定し、ネットワークオペレータにおけるプロキシニーズを決定するシステムの１つの観点の概略図である。
【図２】図２は、別の観点にしたがった、プロビジョニング情報のための情報源を決定するオープンマーケットワイヤレスデバイスの概略図である。
【図３】図３は、ここで記述するように動作可能なワイヤレス通信デバイスの１つの観点の概略図である。
【図４】図４は、ワイヤレスネットワークの、特に、本観点に関連して使用されるセルラネットワークの概略図である。
【図５】図５は、ここで記述する本観点にしたがった、オープンマーケットワイヤレスデバイスに対するネットワークサービス毎ベースでの、プロビジョニング情報のダイナミックな情報源決定のための方法を描写するフロー図である。
【手続補正３】
【補正対象書類名】明細書
【補正対象項目名】００４９
【補正方法】変更
【補正の内容】
【００４９】
図４は、セルラネットワーク２００のブロック図を表し、セルラネットワーク２００は、本観点に関連して使用されて、ワイヤレスメッセージを伝達してもよい。ワイヤレスネットワーク１８は、セルラネットワーク２００内に含まれていてもよく、それ自体は、ワイヤレスデバイス／リムーバブルモジュールからのデバイス識別メッセージをネットワークオペレータに、ネットワークオペレータからのデバイス識別要求メッセージをワイヤレスデバイス／リムーバブルモジュールに伝達するように実現されてもよい。図４を参照すると、１つの観点において、オープンマーケットワイヤレスデバイス１２は、セルラ電話機のようなワイヤレス通信デバイスを含む。本観点において、ワイヤレス通信デバイスは、セルラネットワーク２００を通して通信するように構成されている。セルラネットワーク２００は、ＳＭＳデータパケットまたは他のメッセージングデータパケットのような、通信データパケットを伝達する能力を、ワイヤレス通信デバイス１２に提供する。セルラ電話ネットワーク２００は、キャリアネットワーク２０４を介してワイヤードネットワーク２０２に接続されたワイヤレスネットワーク１８を含んでいてもよい。図４は、ワイヤレス通信ネットワークのコンポーネントと、本システムの１つの観点のエレメントの相関関係とを、より完全に図示する、代表的な図である。セルラ電話ネットワーク２００は、例示に過ぎず、任意のシステムを含むことができ、それによって、ワイヤレス通信デバイス１２のようなリモートモジュールは、互いの間で、および／または、無制限に、ワイヤレスネットワークキャリアおよび／またはサーバを含む、ワイヤレスネットワーク１８のコンポーネント間で、無線で通信する。
【手続補正４】
【補正対象書類名】明細書
【補正対象項目名】００６１
【補正方法】変更
【補正の内容】
【００６１】
先の開示は、実例となる観点および／または実施形態を論じているが、特許請求の範囲により規定される、記述した観点および／または実施形態の範囲から逸脱することなく、さまざまな変更および修正を実施できることに注目すべきである。さらに、記述した観点および／または実施形態の要素は、単数で記述または請求されているかもしれないが、単数への制限が明示的に述べられていない限り、複数が考えられる。さらに、特に述べていない限り、何らかの観点および／または実施形態のすべてまたは一部を、他の何らかの観点および／または実施形態のすべてまたは一部とともに利用してもよい。
以下に、本願出願の当初の特許請求の範囲に記載された発明を付記する。
［１］オープンマーケットワイヤレス通信デバイス上での、プロビジョニング情報のダイナミックな情報源決定の方法において、
オープンマーケットワイヤレス通信デバイス上で、ネットワークサービスを開始するための第１の入力を受け取ることと、
前記ネットワークサービスに対応するプロビジョニング情報が、前記ワイヤレス通信デバイスと通信するリムーバブルモジュール上に記憶されているかどうかを決定することと、
前記プロビジョニング情報が、前記リムーバブルモジュール上に記憶されていないと決定された場合に、前記ネットワークサービスに対応するプロビジョニング情報が、前記ワイヤレスデバイスの非リムーバブルデータ記憶装置上に記憶されているかどうかを決定することと、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を発生させることとを含み、
前記ユーザ通知は、前記ワイヤレス通信デバイス上で前記プロビジョニング情報を構成するための指示を含む方法。
［２］前記ユーザ通知を発生させることは、前記ワイヤレス通信デバイス上で、手動で入力されるプロビジョニング情報を取得するための指示を含むユーザ通知を発生させることをさらに含む上記［１］記載の方法。
［３］前記ユーザ通知を発生させることは、前記プロビジョニング情報上で、手動で入力されるプロビジョニング情報を提供するインターネットベースのウェブページに対するアドレスを含むユーザ通知を発生させることをさらに含む上記［２］記載の方法。
［４］前記ユーザ通知を発生させることは、前記ワイヤレス通信デバイスへの、前記プロビジョニング情報のワイヤレスネットワーク配信のための指示を含むユーザ通知を発生させることをさらに含む上記［２］記載の方法。
［５］前記ユーザ通知中に含まれる指示に基づいて、前記プロビジョニング情報のワイヤレスネットワーク配信を開始するための第２の入力を受け取ることをさらに含む上記［４］記載の方法。
［６］前記指示に基づいて、前記プロビジョニング情報を受信することと、
前記リムーバブルモジュールまたは前記非リムーバブルデータ記憶装置のうちの少なくとも１つに、前記プロビジョニング情報を記憶させることと、
前記ワイヤレス通信デバイス上で、前記ネットワークサービスを開始するための第２の入力を受け取ることと、
前記第２の入力に応答して、前記ワイヤレス通信デバイス上で前記ネットワークサービスを開始することとをさらに含む上記［１］記載の方法。
［７］第２の入力を受け取ることは、
前記サービスに対応するプロビジョニング情報が前記リムーバブルモジュール上に記憶されているかどうかを決定するのに先立って、前記ネットワークサービスに対応するサービスプロビジョニングインジケータをチェックすることと、
前記サービスプロビジョニングインジケータが検出された場合に、前記非リムーバブルデータ記憶装置から前記プロビジョニング情報を取得することとをさらに含み、
前記サービスプロビジョニングインジケータは、前記プロビジョニング情報が前記非リムーバブルデータ記憶装置上に記憶されていないことを示す上記［６］記載の方法。
［８］前記ワイヤレス通信デバイス上で前記ネットワークサービスを開始することは、前記非リムーバブルデータ記憶装置から取得された前記プロビジョニング情報にしたがって、前記ワイヤレス通信デバイス上で前記ネットワークサービスを開始することをさらに含む上記［７］記載の方法。
［９］前記ネットワークサービスに対応するプロビジョニング情報が、前記リムーバブルモジュール上に記憶されているかどうかを決定することは、前記リムーバブルモジュールがプロビジョニング情報の記憶をサポートするように構築されているかどうかを決定することをさらに含む上記［１］記載の方法。
［１０］前記プロビジョニング情報が、前記リムーバブルモジュール上に記憶されていないと決定された場合に、前記決定することは、前記プロビジョニング情報が、前記リムーバブルモジュール上に記憶されていないと決定され、または、前記リムーバブルモジュールが前記プロビジョニング情報の記憶をサポートするように構築されていないと決定された場合に、前記ネットワークサービスに対応するプロビジョニング情報が前記ワイヤレス通信デバイスの非リムーバブルデータ記憶装置上に記憶されているかどうかを決定することをさらに含む上記［９］記載の方法。
［１１］前記プロビジョニング情報が、前記リムーバブルモジュールおよび前記非リムーバブルデータ記憶装置上に記憶されていないと決定された場合に、前記発生させることは、前記プロビジョニング情報が前記リムーバブルモジュール上に記憶されていないと決定され、または、前記リムーバブルモジュールが前記プロビジョニング情報の記憶をサポートするように構築されていないと決定され、かつ、前記プロビジョニング情報が前記非リムーバブルデータ記憶装置上に記憶されていないと決定された場合に、前記ワイヤレス通信デバイス上での出力として、前記ユーザ通知を発生させることをさらに含む上記［１０］記載の方法。
［１２］前記ネットワークサービスに対応するプロビジョニング情報が、前記リムーバブルモジュール上に記憶されているかどうかを決定することは、前記ワイヤレス通信デバイスが非レガシーワイヤレス通信デバイスである場合にのみ、前記ネットワークサービスに対応するプロビジョニング情報が、前記リムーバブルモジュール上に記憶されているかどうかを決定することをさらに含む上記［１］記載の方法。
［１３］前記情報源決定のための方法は、前記オープンマーケットワイヤレスデバイス上で実現される複数の方法のうちの１つであり、前記オープンマーケットワイヤレスデバイスの事前の構成は、どの情報源決定方法が実現されるかを規定する上記［１］記載の方法。
［１４］前記情報源決定のための方法は、前記オープンマーケットワイヤレスデバイス上で実現される複数の方法のうちの１つであり、前記オープンマーケットワイヤレスデバイス上で実施可能な各ネットワークサービスは、どの情報源決定方法が実現されるかを規定する上記［１］記載の方法。
［１５］オープンマーケットワイヤレス通信デバイス上で、プロビジョニング情報の情報源の決定を提供するように構成されている少なくとも１つのプロセッサにおいて、
オープンマーケットワイヤレス通信デバイス上で、ネットワークサービスを開始するための第１の入力を受け取る第１のモジュールと、
前記ネットワークサービスに対応するプロビジョニング情報が、前記ワイヤレス通信デバイスと通信するリムーバブルモジュール上に記憶されているかどうかを決定し、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを決定する第２のモジュールと、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を発生させる第３のモジュールとを具備し、
前記ユーザ通知は、前記ワイヤレス通信デバイス上で前記プロビジョニング情報を構成するための指示を含む、少なくとも１つのプロセッサ。
［１６］コンピュータプログラムプロダクトにおいて、
コンピュータ読取り可能媒体を具備し、
前記コンピュータ読取り可能媒体は、
オープンマーケットワイヤレス通信デバイス上で、ネットワークサービスを開始するための第１の入力をコンピュータに受け取らせるための第１の組のコードと、
前記ネットワークサービスに対応するプロビジョニング情報が、前記ワイヤレス通信デバイスと通信するリムーバブルモジュール上に記憶されているかどうかを前記コンピュータに決定させ、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを前記コンピュータに決定させるための第２の組のコードと、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を前記コンピュータに発生させるための第３の組のコードとを含み、
前記ユーザ通知は、前記ワイヤレス通信デバイス上で前記プロビジョニング情報を構成するための指示を含むコンピュータプログラムプロダクト。
［１７］ワイヤレス通信デバイス上での、プロビジョニング情報の情報源決定のための装置において、
オープンマーケットワイヤレス通信デバイス上で、ネットワークサービスを開始するための第１の入力を受け取る手段と、
前記ネットワークサービスに対応するプロビジョニング情報が、前記ワイヤレス通信デバイスと通信するリムーバブルモジュール上に記憶されているかどうかを決定し、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを決定する手段と、
前記プロビジョニング情報が、前記リムーバブルモジュールおよび前記非リムーバブルデータ記憶装置上に記憶されていないと決定された場合に、前記ワイヤレス通信デバイス上での出力として、ユーザ通知を発生させる手段とを具備し、
前記ユーザ通知は、前記ワイヤレス通信デバイス上で前記プロビジョニング情報を構成するための指示を含む装置。
［１８］オープンマーケットワイヤレス通信デバイスにおいて、
プロセッサと、前記プロセッサと通信する非リムーバブルメモリとを含んでいるコンピュータプラットフォームと、
前記プロセッサと通信し、データを記憶するように動作可能なリムーバブルモジュールと、
前記プロセッサにより実行可能であり、前記非リムーバブルデータ記憶装置中に記憶されている、１つ以上のネットワークサービスクライアントと、
前記プロセッサと通信し、前記オープンマーケットワイヤレス通信デバイス上で、前記ネットワークサービスクライアントのうちの１つを開始するための第１の入力を受け取るように動作可能な、第１のユーザインターフェースと、
前記データ記憶装置中に記憶され、前記プロセッサにより実行可能なプロビジョニング情報源決定論理と、
前記データ記憶装置中に記憶され、前記プロセッサにより実行可能なプロビジョニング指示通知発生器とを具備し、
前記論理は、第１の情報源ルールを実行するための前記第１の入力に応答し、前記第１の情報源ルールは、前記ネットワークサービスに対応するプロビジョニング情報が、前記リムーバブルモジュール上に記憶されているかどうかを決定し、前記プロビジョニング情報が、前記リムーバブルモジュール上に記憶されていないと決定された場合に、前記ネットワークサービスに対応するプロビジョニング情報が、前記ワイヤレス通信デバイスの非リムーバブルデータ記憶装置上に記憶されているかどうかを決定するように動作可能であり、
前記発生器は、前記プロビジョニング情報が前記リムーバブルモジュールおよび前記データ記憶装置上に記憶されていないとの、前記第１の情報源ルールにしたがう前記論理の決定に応答して、前記ワイヤレス通信デバイス上での出力として、ユーザ通知を発生させるように動作可能であり、前記ユーザ通知は、前記ワイヤレス通信デバイス上で前記プロビジョニング情報を構成するための指示を含むオープンマーケットワイヤレス通信デバイス。
［１９］前記プロビジョニング指示通知発生器は、前記ワイヤレス通信デバイス上で、手動で入力されるプロビジョニング情報を取得するための指示を含む前記ユーザ通知を発生させるようにさらに動作可能である上記［１８］記載のデバイス。
［２０］前記プロビジョニング指示通知発生器は、前記プロビジョニング情報を提供するインターネットベースのウェブページに対するアドレスを含む前記ユーザ通知を発生させるようにさらに動作可能である上記［１９］記載のデバイス。
［２１］前記プロビジョニング指示通知発生器は、前記ワイヤレス通信デバイスへの、前記プロビジョニング情報のワイヤレスネットワーク配信のための指示を含む前記ユーザ通知を発生させるようにさらに動作可能である上記［１８］記載のデバイス。
［２２］前記プロセッサと通信し、前記ユーザ通知中に含まれる前記指示に基づいて、前記プロビジョニング情報のワイヤレスネットワーク配信を開始するための第２の入力を受け取るように動作可能な、第２のユーザインターフェースをさらに具備する上記［２１］記載のデバイス。
［２３］前記プロセッサと通信し、前記ユーザ通知中の指示に基づいて、前記プロビジョニング情報を前記非リムーバブルデータ記憶装置または前記リムーバブルモジュールのいずれかに手動で入力するための第２の入力を受け取るように動作可能な、第２のユーザインターフェースをさらに具備する上記［１８］記載のデバイス。
［２４］前記プロビジョニング情報源決定論理は、前記サービスに対応するプロビジョニング情報が前記リムーバブルモジュール上に記憶されているかどうかを決定するのに先立って、前記ネットワークサービスに対応するサービスプロビジョニングインジケータをチェックし、前記サービスプロビジョニングインジケータが検出された場合に、前記非リムーバブルデータ記憶装置から前記プロビジョニング情報を取得するようにさらに動作可能であり、
前記サービスプロビジョニングインジケータは、前記プロビジョニング情報が前記非リムーバブルデータ記憶装置上に記憶されていることを示す上記［１８］記載のデバイス。
［２５］前記プロビジョニング情報源決定論理は、前記リムーバブルモジュールがプロビジョニング情報の記憶をサポートするように構築されているかどうかを決定し、プロビジョニング情報が前記リムーバブルモジュール上に記憶されていないと決定され、または、前記リムーバブルモジュールが前記プロビジョニング情報の記憶をサポートするように構築されていないと決定された場合に、前記ネットワークサービスに対応するプロビジョニング情報が前記ワイヤレス通信デバイスの非リムーバブルデータ記憶装置上に記憶されているかどうかを決定するようにさらに動作可能である上記［１８］記載のデバイス。
［２６］前記プロビジョニング指示通知発生器は、前記リムーバブルモジュールが前記プロビジョニング情報の記憶をサポートしていないか、あるいは、前記プロビジョニング情報が前記リムーバブルモジュールまたは前記データ記憶装置上に記憶されていないとの、前記論理の決定に応答して、前記ワイヤレス通信デバイス上での出力として、ユーザ通知を発生させるようにさらに動作可能である上記［２５］記載のデバイス。
［２７］前記プロビジョニング情報源決定論理は、前記ワイヤレス通信デバイスが非レガシーワイヤレス通信デバイスである場合にのみ、前記ネットワークサービスに対応するプロビジョニング情報が、前記リムーバブルモジュール上に記憶されているかどうかを決定するようにさらに動作可能である上記［１８］記載のデバイス。
［２８］前記プロビジョニング情報源決定論理は、第２の情報源ルールをさらに含み、前記第２の情報源ルールは、ネットワークサービスに対応するプロビジョニング情報が前記リムーバブルモジュール上に記憶されているかどうかを決定し、前記プロビジョニング情報が前記リムーバブルモジュール上に記憶されていない場合に、前記ネットワークサービスの開始を中止するように動作可能である上記［１８］記載のデバイス。
［２９］前記プロビジョニング情報源決定論理は、第３の情報源ルールをさらに含み、前記第３の情報源ルールは、ネットワークサービスに対応するプロビジョニング情報が前記リムーバブルモジュール上に記憶されているかどうかを決定し、前記プロビジョニング情報が前記リムーバブルモジュール上に記憶されていない場合に、前記プロビジョニング情報が前記ワイヤレスデバイスのデータ記憶装置上に記憶されているかどうかを決定し、前記プロビジョニング情報が前記リムーバブルモジュールおよび前記データ記憶装置のいずれにも記憶されていないと決定された場合に、前記ネットワークサービスの開始を中止するように動作可能である上記［２８］記載のデバイス。
［３０］前記プロビジョニング情報源決定論理は、前記オープンマーケットワイヤレスデバイスの事前の構成に基づいて、どの情報源ルールをネットワークサービスの開始の試みに適用するかを決定するようにさらに動作可能である上記［２９］記載のデバイス。
［３１］前記プロビジョニング情報源決定論理は、前記対応するネットワークサービスクライアントの事前の構成に基づいて、どの情報源ルールをネットワークサービスの開始の試みに適用するかを決定するようにさらに動作可能である上記［２９］記載のデバイス。
【手続補正５】
【補正対象書類名】図面
【補正対象項目名】全図
【補正方法】変更
【補正の内容】
【図１】
2011530261.tif 000001
【図２】
2011530261.tif 000002
【図３】
2011530261.tif 000003
【図４】
2011530261.tif 000004
【図５】
2011530261.tif 000005